(57)【特許請求の範囲】
【請求項１】
被測定物に対してファンクションスイッチにより設定された所定の定格測定電圧を印加する測定電圧発生部と、上記被測定物に流れる電流を検出する電流検出部と、上記被測定物に印加される定格測定電圧および上記電流検出部にて検出された電流をそれぞれ所定のサンプリング間隔でディジタルデータに変換するＡ／Ｄ変換部と、同Ａ／Ｄ変換部からの電圧データおよび電流データに基づいて上記被測定物の絶縁抵抗値（測定値）を算出する制御手段と、同制御手段の指示に基づいて測定値などが表示されるディスプレイとを備えている絶縁抵抗計において、
上記制御手段は、測定開始時点からの経過時間を計時するタイマを有し、上記ディスプレイには、上記所定のサンプリング間隔で求められた測定値が表示される第１表示領域と、通常は定格測定電圧が表示される第２表示領域とが含まれ、
上記制御手段は、上記所定のサンプリング間隔で求められた測定値をその都度上記ディスプレイの第１表示領域に表示させるとともに、上記タイマに設定されている所定時間経過時点の測定値を上記第２表示領域にそれまで表示されていた上記定格測定電圧に代えて表示させることを特徴とする絶縁抵抗計。
【発明の詳細な説明】
【０００１】
【発明の属する技術分野】
本発明は被測定物に対する印加電圧と漏れ電流の比として捉えられる絶縁抵抗を測定する絶縁抵抗計に関し、さらに詳しく言えば、測定開始時点からの所定時間経過時点における測定値を表示させる技術に関するものである。
【０００２】
【従来の技術】
電気機器の絶縁抵抗の測定は、その電気機器の使用上の安全性を確認する上で重要な測定の一つとされており、電気機器に印加される電圧と、電圧印加時にその電気機器に流れる電流（漏れ電流）との比により求められる。
【０００３】
このように、絶縁抵抗は印加電圧と漏れ電流の比で表されるため、もともと不安定である。そこで従来より、この種の絶縁抵抗計には、通常のリアルタイム値表示機能のほかに、所定時間経過値表示機能（多くの場合、１分経過値表示機能）が備えられている。
【０００４】
すなわち、従来の絶縁抵抗計には、「測定」と「１分経過値表示」とを切り換えるスイッチが設けられている。まず、そのスイッチを「測定」側に切り換えて絶縁抵抗測定を開始すると、測定値がリアルタイムでディスプレイに表示される。１分経過時の測定値はメモリに記憶される。この間もディスプレイにはリアルタイム測定値が表示され続ける。
【０００５】
次に、ユーザーがスイッチを「１分経過値表示」側に切り換えると、メモリに記憶されている１分経過時点の測定値がディスプレイに表示される。この場合、通常のリアルタイム測定値が表示される位置に、それに代わって１分経過時点の測定値が表示される。
【０００６】
【発明が解決しようとする課題】
しかしながら、上記の従来技術には次のような課題がある。「測定」と「１分経過値表示」とを切り換えるスイッチを必要とするため、操作部の限られたスペース内への配置が問題になるばかりでなく、組み立て工数が増大し、部品調達コストを含めてコストアップは免れない。
【０００７】
また、ユーザーにとってはスイッチ切り換え作業は面倒で煩わしい。さらには、１分経過値を表示しているときには、リアルタイムで測定している測定値が分からないと言った不便さがある。
【０００８】
【課題を解決するための手段】
本発明は、このような課題を解決するためになされたもので、その目的は、測定開始時点からの所定時間経過値を自動的に表示させることができるようにした絶縁抵抗計を提供することにある。
【０００９】
本発明によれば、この目的は、被測定物に対してファンクションスイッチにより設定された所定の定格測定電圧を印加する測定電圧発生部と、上記被測定物に流れる電流を検出する電流検出部と、上記被測定物に印加される定格測定電圧および上記電流検出部にて検出された電流をそれぞれ所定のサンプリング間隔でディジタルデータに変換するＡ／Ｄ変換部と、同Ａ／Ｄ変換部からの電圧データおよび電流データに基づいて上記被測定物の絶縁抵抗値（測定値）を算出する制御手段と、同制御手段の指示に基づいて測定値などが表示されるディスプレイとを備えている絶縁抵抗計において、上記制御手段は、測定開始時点からの経過時間を計時するタイマを有し、上記ディスプレイには、上記所定のサンプリング間隔で求められた測定値が表示される第１表示領域と、通常は定格測定電圧が表示される第２表示領域とが含まれ、上記制御手段は、上記所定のサンプリング間隔で求められた測定値をその都度上記ディスプレイの第１表示領域に表示させるとともに、上記タイマに設定されている所定時間経過時点の測定値を上記第２表示領域にそれまで表示されていた上記定格測定電圧に代えて表示させることにより達成される。
【００１０】
本発明によれば、上記制御手段は上記所定のサンプリング間隔で求められた測定値をリアルタイムで上記ディスプレイの第１表示領域に表示させるとともに、上記タイマに設定されている所定時間経過時点の測定値を上記第１表示領域とは別の第２表示領域に表示させることにより、リアルタイム値と所定時間経過値とを同時に知ることができる。
【００１１】
【発明の実施の形態】
次に、本発明を図面に示されている実施例に基づいてより具体的に説明する。
なお、図１はこの実施例に係る絶縁抵抗計の概略的なブロック図で、図２は同絶縁抵抗計の正面図である。
【００１２】
これによると、この絶縁抵抗計１０は被測定電気機器（被測定物）Ｄに対して所定の定格測定電圧を印加する測定電圧発生部１１と、その定格測定電圧印加時に被測定電気機器Ｄに流れる電流を検出する電流検出部１２と、その印加電圧および電流検出部１２にて検出された電流をそれぞれ所定のサンプリング間隔（この例では、２回／秒）でディジタルデータに変換するＡ／Ｄ変換部１３とを備えている。
【００１３】
また、この絶縁抵抗計１０は制御手段としてのＣＰＵ（ｃｅｎｔｒａｌ  ｐｒｏｃｅｓｓｉｎｇ  ｕｎｉｔ）１４を備えている。ＣＰＵ１４は、Ａ／Ｄ変換部１３からの電圧データおよび電流データに基づいて被測定電気機器Ｄの絶縁抵抗値を算出するほかに、この絶縁抵抗計１０の各構成要素を制御する。
【００１４】
すなわち、ＣＰＵ１４には操作部１５、記憶手段１６、報知手段としてのブザー１７およびディジタルディスプレイとしての液晶表示パネル１８が接続されている。この実施例において図２に示されているように、操作部１５には、測定レバー（スイッチ）１５１、ファンクションスイッチ１５２、コンパレータボタン１５３および液晶表示パネル１８のバックライト点灯ボタン１５４が含まれている。
【００１５】
ファンクションスイッチ１５２はロータリースイッチからなり、その切り換えステージとして、抵抗測定・導通チェック用レンジ〔Ω〕、〔ＯＦＦ〕レンジ、交流電圧測定用の〔ＡＣＶ〕レンジおよび定格測定電圧設定レンジを備えている。
【００１６】
この実施例において、定格測定電圧設定レンジは、１２５Ｖ，２５０Ｖ，５００Ｖ，１０００Ｖが選択可能であり、この切り換えに応じて、測定電圧発生部１１から１２５Ｖ，２５０Ｖ，５００Ｖ，１０００Ｖのいずれかの電圧が被測定電気機器Ｄに印加される。
【００１７】
図２に示されているように、この絶縁抵抗計１０には、一対の測定端子１９１，１９２が設けられている。一方の測定端子１９１はアース側測定端子であり、図示しないプローブを介して被測定電気機器Ｄの接地側に接続される。他方の測定端子１９２はライン側測定端子であり、同じく図示しないプローブを介して被測定電気機器Ｄの所定部位に接続される。
【００１８】
記憶手段１６には基準値テーブルが用意されており、これには定格測定電圧ごとに、複数の基準値が書き込まれている。コンパレータボタン１５３を押すたびに基準値テーブルから基準値が一つずつ読み出され、その基準値が液晶表示パネル１８の所定の表示領域に表示される。
【００１９】
図２には、測定時における液晶表示パネル１８の表示の一例が示されている。
これによると、パネル上方には測定値（絶縁抵抗値）が対数バーグラフ（単位はＭΩ）で表示されるバーグラフ表示領域１８１が設けられている。パネル中央部は、測定値がそのサンプリングごとにリアルタイムで表示される測定値表示領域１８２となっている。
【００２０】
パネルの下方には、コンパレータの基準値表示領域１８３と、定格測定電圧もしくは１分経過値のいずれかが表示される兼用表示領域１８４とが設けられている。図２には、兼用表示領域１８４に１分経過値が表示されているが、通常はこの兼用表示領域１８４にはファンクションスイッチ１５２にて選択された定格測定電圧が例えば２５０〔Ｖ〕などとして表示される。
【００２１】
次に、基本的な測定手順について説明する。ファンクションスイッチ１５２にて所望とする定格測定電圧を選択する。被測定電気機器Ｄの接地側と所定部位とをそれぞれ図示しないプローブを介してアース側測定端子１９１とライン側測定端子１９２に接続する。
【００２２】
そして、測定レバー１５１をオンにする。これにより、被測定電気機器Ｄの絶縁抵抗値が測定値表示領域１８２に表示されるとともに、バーグラフ表示領域１８１にもその絶縁抵抗値がバーグラフとして表示される。測定レバー１５１をオフにすると、測定された絶縁抵抗値がホールドされる。このとき、バーグラフは測定端子間の電圧表示に切り替わる。
【００２３】
コンパレータ機能を使用するには、ファンクションスイッチ１５２にて定格測定電圧として１２５Ｖ，２５０Ｖ，５００Ｖ，１０００Ｖのいずれか一つを選択した上で、コンパレータボタン１５３を押して基準値テーブルから基準値を逐次読み出す。
【００２４】
例えば、基準値表示領域１８３に図２のように１００ＭΩと表示されたところで、測定レバー１５１をオンにすると、ＣＰＵ１４にて基準値を１００ＭΩとして測定値の大小関係の判定が行なわれ、測定値＜基準値の場合には、測定値表示領域１８２の左側に〔Ｌｏ〕表示がなされ、ブザー１７が鳴動する。なお、測定値≧基準値の場合には、〔Ｌｏ〕表示に代えて〔Ｈｉ〕表示がなされるのみでブザー１７は鳴らない。
【００２５】
このようにして被測定電気機器Ｄの絶縁抵抗測定が行なわれるのであるが、本発明によれば、この測定中に所定時間経過値（この実施例では１分経過値）が液晶表示パネル１８に自動的に表示される。これについて、図３のフローチャートに沿って説明する。
【００２６】
なお、この実施例において、ＣＰＵ１４での測定値サンプリング間隔は２回／秒であり、また、ＣＰＵ１４には１分間隔でセット、リセットを繰り返す１分タイマが設けられているものとする。
【００２７】
ステップＳＴ１で、測定レバー（スイッチ）１５１がオンにされると、ＣＰＵ１４の１分タイマが計時を開始した上で、次段のステップＳＴ２が実行され、ＣＰＵ１４にて２回／秒の間隔で測定値が算出される。
【００２８】
そして、ステップＳＴ３において、その測定値が液晶表示パネル１８の測定値表示領域１８２にリアルタイムで表示される。次に、ステップＳＴ４で１分タイマがタイムアップしたかが判断される。ＮＯ、すなわち１分経過前であれば、ステップＳＴ２に戻り、１分タイマがタイムアップするまで、ステップＳＴ２，ＳＴ３を繰り返す。
【００２９】
ステップＳＴ４でＹＥＳである場合、すなわち１分タイマがタイムアップした場合には、次段のステップＳＴ５に移行し、１分経過値がすでに表示されているかが判断される。その結果、ＮＯで１分経過値が表示されていない場合には、ステップＳＴ６が実行され、液晶表示パネル１８の兼用表示領域１８４に、それまで表示されていた定格測定電圧に代わって、その１分経過の直前にステップＳＴ３で表示された測定値と同じ測定値が表示され、ステップＳＴ２に戻る。
【００３０】
これに対して、ステップＳＴ５の判断結果がＹＥＳで、すでに１分経過値が表示されている場合には、その表示を書き換えることなく、ステップＳＴ２に戻り、次のサンプリングを開始する。すなわち、一度１分経過値が表示されると、以後はステップＳＴ２〜ＳＴ５が繰り返され、測定値表示領域１８２に測定値がリアルタイムで表示される。
【００３１】
なお、上記実施例では１分経過値としているが、例えば２分経過値としてもよい。また、上記実施例ではＣＰＵ１４はタイマを有していると説明されているが、このタイマには、ＣＰＵ１４のクロック信号をカウントする計数回路なども含まれる。
【００３２】
【発明の効果】
以上説明したように、本発明によれば、ユーザーに従来のように「測定」と「１分経過値」とのスイッチ切り換えの手間をとらせることなく、測定開始時点からの所定時間経過値（例えば、１分経過値）を自動的に表示させることができる。
【００３３】
また、本発明によれば、リアルタイムでの測定値表示と、１分経過値とがディスプレイに同時に表示されるため、被測定電気機器の絶縁抵抗を測定する上で、ユーザーにとって信頼性の高い測定を行なうことができる。
【図面の簡単な説明】
【図１】本発明の一実施例としての絶縁抵抗計の概略的なブロック図。
【図２】上記絶縁抵抗計の正面図。
【図３】本発明による所定時間経過値を表示する動作を説明するためのフローチャート。
【符号の説明】
１１  測定電圧発生部
１２  電流検出部
１３  Ａ／Ｄ変換部
１４  ＣＰＵ（制御手段）
１５  操作部
１５１  測定レバー
１５２  ファンクションスイッチ
１５３  コンパレータボタン
１５４  バックライト点灯ボタン
１６  記憶手段
１７  ブザー
１８  液晶表示パネル
１８１  バーグラフ表示領域
１８２  測定値表示領域
１８３  基準値表示領域
１８４  定格測定電圧／１分経過値の兼用表示領域
【図１】
0003712551.tif 000002
【図２】
0003712551.tif 000003
【図３】
0003712551.tif 000004